(57)【要約】【課題】  ユーザにとって利便性の高い映像ミュートを実現可能な携帯映像表示装置を提供すること。【解決手段】  ユーザに対し映像を表示するための表示手段と、音声を出力するための音声出力手段と、音声出力手段による音声の出力に関わる少なくとも２つの操作部材を含む操作部と、操作部の少なくとも２つの操作部材に対するユーザの操作の組み合わせに応じて、表示手段を制御し、表示手段に表示される映像の表示輝度とコントラストとの少なくとも一方が低レベルもしくはゼロレベルである映像ミュート状態に設定するミュート手段とを備える。【選択図】      図１
2008060825.tif 000002
【特許請求の範囲】
【請求項１】
ユーザに対し映像を表示するための表示手段と、
音声を出力するための音声出力手段と、
前記音声出力手段による前記音声の出力に関わる少なくとも２つの操作部材を含む操作部と、
前記操作部の少なくとも２つの操作部材に対する前記ユーザの操作の組み合わせに応じて、前記表示手段を制御し、前記表示手段に表示される前記映像の表示輝度とコントラストとの少なくとも一方が低レベルもしくはゼロレベルである映像ミュート状態に設定するミュート手段と
を備えたことを特徴とする携帯映像表示装置。
【請求項２】
請求項１に記載の携帯映像表示装置において、
前記操作部を介して、前記ユーザにより第１の操作が行われると、前記ミュート手段は、前記表示手段を制御して前記映像ミュート状態に設定するとともに、前記音声出力手段を制御し、前記音声出力手段から出力される前記音声の音量が低レベルもしくはゼロレベルである音声ミュート状態に設定し、
前記映像ミュート状態かつ前記音声ミュート状態において、前記操作部を介して、前記ユーザにより第２の操作が行われると、前記ミュート手段は、前記表示手段および前記音声出力手段を制御し、前記映像ミュート状態および前記音声ミュート状態を解除する
ことを特徴とする携帯映像表示装置。
【請求項３】
請求項１に記載の携帯映像表示装置において、
前記操作部を介して、前記ユーザにより第１の操作が行われると、前記ミュート手段は、前記表示手段と前記音声出力手段との何れかを制御し、前記映像ミュート状態と前記音声出力手段から出力される前記音声の音量が低レベルもしくはゼロレベルである音声ミュート状態との何れかを設定し、
前記第１の操作に応じた前記映像ミュート状態において、前記操作部を介して、前記ユーザにより第２の操作が行われると、前記ミュート手段は、前記音声出力手段を制御して前記音声ミュート状態を設定し、
前記第１の操作に応じた前記音声ミュート状態において、前記操作部を介して、前記ユーザにより前記第２の操作が行われると、前記ミュート手段は、前記表示手段を制御して前記映像ミュート状態を設定する
ことを特徴とする携帯映像表示装置。
【請求項４】
請求項３に記載の携帯映像表示装置において、
前記映像ミュート状態かつ前記音声ミュート状態において、前記操作部を介して、前記ユーザにより第３の操作が行われると、前記ミュート手段は、前記表示手段と前記音声出力手段との何れかを制御し、前記映像ミュート状態および前記音声ミュート状態の何れかを解除し、
前記第３の操作に応じて前記映像ミュート状態を解除した場合において、前記操作部を介して、前記ユーザにより第４の操作が行われると、前記ミュート手段は、前記音声出力手段を制御して前記音声ミュート状態を解除し、
前記第３の操作に応じて前記音声ミュート状態を解除した場合において、前記操作部を介して、前記ユーザにより前記第４の操作が行われると、前記ミュート手段は、前記表示手段を制御して前記映像ミュート状態を解除する
ことを特徴とする携帯映像表示装置。
【請求項５】
請求項３または請求項４に記載の携帯映像表示装置において、
前記第１の操作または前記第３の操作に応じた前記映像ミュート状態において、前記操作部を介して、前記ユーザにより所定の操作が行われた際に、前記ミュート手段により前記音声ミュート状態を設定するか、または、前記ミュート手段により前記映像ミュート状態を解除するかを選択する選択手段をさらに備える
ことを特徴とする携帯映像表示装置。
【請求項６】
請求項３または請求項４に記載の携帯映像表示装置において、
前記第１の操作または前記第３の操作に応じた前記音声ミュート状態において、前記操作部を介して、前記ユーザにより所定の操作が行われた際に、前記ミュート手段により前記映像ミュート状態を設定するか、または、前記ミュート手段により前記音声ミュート状態を解除するかを選択する選択手段をさらに備える
ことを特徴とする携帯映像表示装置。
【請求項７】
請求項１から請求項６の何れか１項に記載の携帯映像表示装置において、
前記表示手段と前記音声出力手段との少なくとも一方の状態を示す情報と、前記操作部に対する操作の組み合わせおよびその操作に応じて実行される動作を示す情報との少なくとも一方を前記表示手段に表示する表示制御手段をさらに備える
ことを特徴とする携帯映像表示装置。
【請求項８】
請求項１から請求項７の何れか１項に記載の携帯映像表示装置において、
前記操作部は、前記音声出力手段による前記音声の音量を増大させるための第１の操作部材と、前記音声の音量を減少させるための第２の操作部材とを含み、
前記ミュート手段は、前記ユーザにより、前記第１の操作部材と前記第２の操作部材とが同時に操作されると、前記表示手段を制御して前記映像ミュート状態を設定する
ことを特徴とする携帯映像表示装置。
【請求項９】
ユーザに対し映像を表示するための表示手段と、
音声を出力するための音声出力手段と、
前記表示手段を制御し、前記表示手段に表示される前記映像の表示輝度とコントラストの少なくとも一方が低レベルもしくはゼロレベルである映像ミュート状態に設定するミュート手段と、
前記映像ミュート状態において、前記表示手段が前記映像ミュート状態であることを示す情報と、前記映像ミュート状態の解除方法を示す情報との少なくとも一方を前記表示手段に表示する表示制御手段と
を備えたことを特徴とする携帯映像表示装置。
【請求項１０】
請求項９に記載の映像表示装置において、
前記表示制御手段は、前記表示手段が前記映像ミュート状態であることを示す情報と、前記映像ミュート状態の解除方法を示す情報との少なくとも一方を前記表示手段に表示する際に、前記表示手段の表示領域の一部に表示する
ことを特徴とする携帯映像表示装置。
【発明の詳細な説明】
【技術分野】
【０００１】
本発明は、ヘッドマウントディスプレイ（以下、「ＨＭＤ」という。）、アイグラスディスプレイなどの携帯映像表示装置に関する。
【背景技術】
【０００２】
ＨＭＤは、ユーザの頭部に装着可能な携帯映像表示装置であり、外出先の施設や乗り物内などで所望の映像を観察するのに便利である（特許文献１等参照）。但し、使用中にユーザの注意が外界に向けられたときには、映像が邪魔になるので、再生を停止させたり、ＨＭＤの表示ユニットを眼前から退避させたりする必要がある。特許文献１の発明では、ミュートボタンを設け、一時的に映像を消すことでこの問題を解決している。
【特許文献１】特表平９−５０８７１１号公報
【発明の開示】
【発明が解決しようとする課題】
【０００３】
しかし、特許文献１の発明では、具体的な操作についての提案がなされていないため、選択操作が煩雑であったり、分かりにくかったりする場合がある。また、映像ミュート時にユーザが故障と勘違いする場合があり、利便性に問題があった。
本発明は、ユーザにとって利便性の高い映像ミュートを実現可能な携帯映像表示装置を提供することを目的とする。
【課題を解決するための手段】
【０００４】
本発明の携帯映像表示装置は、ユーザに対し映像を表示するための表示手段と、音声を出力するための音声出力手段と、前記音声出力手段による前記音声の出力に関わる少なくとも２つの操作部材を含む操作部と、前記操作部の少なくとも２つの操作部材に対する前記ユーザの操作の組み合わせに応じて、前記表示手段を制御し、前記表示手段に表示される前記映像の表示輝度とコントラストとの少なくとも一方が低レベルもしくはゼロレベルである映像ミュート状態に設定するミュート手段とを備える。
【０００５】
なお、好ましくは、前記操作部を介して、前記ユーザにより第１の操作が行われると、前記ミュート手段は、前記表示手段を制御して前記映像ミュート状態に設定するとともに、前記音声出力手段を制御し、前記音声出力手段から出力される前記音声の音量が低レベルもしくはゼロレベルである音声ミュート状態に設定し、前記映像ミュート状態かつ前記音声ミュート状態において、前記操作部を介して、前記ユーザにより第２の操作が行われると、前記ミュート手段は、前記表示手段および前記音声出力手段を制御し、前記映像ミュート状態および前記音声ミュート状態を解除しても良い。
【０００６】
また、好ましくは、前記操作部を介して、前記ユーザにより第１の操作が行われると、前記ミュート手段は、前記表示手段と前記音声出力手段との何れかを制御し、前記映像ミュート状態と前記音声出力手段から出力される前記音声の音量が低レベルもしくはゼロレベルである音声ミュート状態との何れかを設定し、前記第１の操作に応じた前記映像ミュート状態において、前記操作部を介して、前記ユーザにより第２の操作が行われると、前記ミュート手段は、前記音声出力手段を制御して前記音声ミュート状態を設定し、前記第１の操作に応じた前記音声ミュート状態において、前記操作部を介して、前記ユーザにより前記第２の操作が行われると、前記ミュート手段は、前記表示手段を制御して前記映像ミュート状態を設定しても良い。
【０００７】
また、好ましくは、前記映像ミュート状態かつ前記音声ミュート状態において、前記操作部を介して、前記ユーザにより第３の操作が行われると、前記ミュート手段は、前記表示手段と前記音声出力手段との何れかを制御し、前記映像ミュート状態および前記音声ミュート状態の何れかを解除し、前記第３の操作に応じて前記映像ミュート状態を解除した場合において、前記操作部を介して、前記ユーザにより第４の操作が行われると、前記ミュート手段は、前記音声出力手段を制御して前記音声ミュート状態を解除し、前記第３の操作に応じて前記音声ミュート状態を解除した場合において、前記操作部を介して、前記ユーザにより前記第４の操作が行われると、前記ミュート手段は、前記表示手段を制御して前記映像ミュート状態を解除しても良い。
【０００８】
また、好ましくは、前記第１の操作または前記第３の操作に応じた前記映像ミュート状態において、前記操作部を介して、前記ユーザにより所定の操作が行われた際に、前記ミュート手段により前記音声ミュート状態を設定するか、または、前記ミュート手段により前記映像ミュート状態を解除するかを選択する選択手段をさらに備えても良い。
また、好ましくは、前記第１の操作または前記第３の操作に応じた前記音声ミュート状態において、前記操作部を介して、前記ユーザにより所定の操作が行われた際に、前記ミュート手段により前記映像ミュート状態を設定するか、または、前記ミュート手段により前記音声ミュート状態を解除するかを選択する選択手段をさらに備えても良い。
【０００９】
また、好ましくは、前記表示手段と前記音声出力手段との少なくとも一方の状態を示す情報と、前記操作部に対する操作の組み合わせおよびその操作に応じて実行される動作を示す情報との少なくとも一方を前記表示手段に表示する表示制御手段をさらに備えても良い。
また、好ましくは、前記操作部は、前記音声出力手段による前記音声の音量を増大させるための第１の操作部材と、前記音声の音量を減少させるための第２の操作部材とを含み、前記ミュート手段は、前記ユーザにより、前記第１の操作部材と前記第２の操作部材とが同時に操作されると、前記表示手段を制御して前記映像ミュート状態を設定しても良い。
【００１０】
本発明の別の携帯映像表示装置は、ユーザに対し映像を表示するための表示手段と、音声を出力するための音声出力手段と、前記表示手段を制御し、前記表示手段に表示される前記映像の表示輝度とコントラストの少なくとも一方が低レベルもしくはゼロレベルである映像ミュート状態に設定するミュート手段と、前記映像ミュート状態において、前記表示手段が前記映像ミュート状態であることを示す情報と、前記映像ミュート状態の解除方法を示す情報との少なくとも一方を前記表示手段に表示する表示制御手段とを備える。
【００１１】
なお、好ましくは、前記表示制御手段は、前記表示手段が前記映像ミュート状態であることを示す情報と、前記映像ミュート状態の解除方法を示す情報との少なくとも一方を前記表示手段に表示する際に、前記表示手段の表示領域の一部に表示しても良い。
【発明の効果】
【００１２】
本発明によれば、ユーザにとって利便性の高い映像ミュートを実現可能な携帯映像表示装置を提供することができる。
【発明を実施するための最良の形態】
【００１３】
以下、図面に基づいて本発明の実施形態について説明する。本実施形態では、本発明の携帯映像表示装置の一例として、ＨＭＤを例に挙げて説明する。
図１は、ＨＭＤ１００の外観図である。ＨＭＤ１００は、図１に示すように、スピーカ１１１、連結部１１１ａ、表示部１１２、支持アーム１１２ａ、操作部１１３を備える。装着時にスピーカ１１１はユーザの両耳に装着され、連結部１１１ａの弾性力により、スピーカ１１１がユーザの両耳に保持される。表示部１１２は、透過型ＬＣＤや有機ＥＬディスプレイなどの不図示の画像表示素子と画像表示素子の映像を拡大してユーザの眼に投影する不図示の光学系とを備える。なお、画像表示素子として、反射型ＬＣＤや、自発光型の素子を２次元的に配列したものなどの画像表示素子を用いても良い。
【００１４】
表示部１１２は、支持アーム１１２ａと一体となって形成される。支持アーム１１２ａは、スピーカ１１１に対して図１の矢印ａの方向にスライドして移動する。表示部１１２および支持アーム１１２ａは、画像観察時には、図１の実線で示す位置に配置される。また、表示部１１２および支持アーム１１２ａは、画像観察時以外の場合には、軸ｂを中心に回動され、表示部１１２がユーザの頭頂部に配置される（図１の点線で示す位置）。この結果、表示部１１２は、画像観察時以外の場合にはユーザの頭頂部に配置され、ユーザの視界を遮らない。また、支持アーム１１２ａは、不図示の関節機構により図１の軸ｂを中心として、スピーカ１１１に対して図１の矢印ｃの方向に回転可能である。したがって、前述した矢印ａの方向のスライドと、矢印ｃの方向の回転とにより、表示部１１２の位置をユーザの眼前に正しく調整することができる。
【００１５】
また、表示部１１２は、支持アーム１１２ａとの間にスライド部材１１２ｂと球面軸受け１１２ｃとを有し、ユーザ操作に基づいて、さらに詳細な位置および傾きなどを調整可能である。図２に、表示部１１２が有する画像表示素子と、ユーザの眼との関係について示す。表示部１１２は、支持アーム１１２ａを矢印ａの方向にスライドさせることで、図２Ａの側面図に示すように、矢印ａの方向にスライド可能であり、ユーザの眼を基準とした前後位置を調整可能である。また、表示部１１２は、球面軸受け１１２ｃにより矢印ｅの方向に回転可能であるとともに、図２Ｂの上面図に示すように、球面軸受け１１２ｃにより矢印ｆの方向にも回転可能である。したがって、ユーザの眼を基準とした傾きを調整可能である。また、表示部１１２は、スライド部材１１２ｂにより矢印ｇの方向にスライド可能であり、図２Ｃの正面図に示すように、ユーザの眼を基準とした左右位置を調整可能である。また、表示部１１２は、図２Ｄの正面図に示すように、球面軸受け１１２ｃにより矢印ｉの方向に回転可能である。したがって、ユーザの眼の光軸と垂直な面内における傾きを調整可能である。
【００１６】
操作部１１３は、図１に示すように、ユーザの側頭部、右耳のスピーカ１１１近傍に配置される。図３は、ＨＭＤ１００を図１の矢印Ｓの方から見た側面図である。操作部１１３は、図３に示すように、電源ボタン１１３ａ、音声拡大ボタン１１３ｂ、音声縮小ボタン１１３ｃ、ミュートボタン１１３ｄを備える。なお、操作部１１３はリモートコントローラのようにＨＭＤ１００の外部に備えられても良い。この場合、リモートコントローラとＨＭＤ１００とは無線で接続されても良いし、有線で接続されても良い。
【００１７】
図４は、ＨＭＤ１００の機能ブロック図である。
ＨＭＤ１００は、図４に示すように、スピーカ１１１、表示部１１２、操作部１１３に加えて、表示部１１２への表示を制御する表示制御部１１４、ケーブルなどを介してコンピュータなどの外部機器と接続する接続部１１５、表示部１１２に表示する画像情報、スピーカ１１１に出力する音声情報などを記憶する記憶部１１６、スピーカ１１１に音声情報や信号等を出力する音声出力部１１７、各部を制御する制御部１１８の各部を備える。
【００１８】
制御部１１８は、表示制御部１１４、接続部１１５、記憶部１１６、音声出力部１１７の各部と相互に接続される。また、表示制御部１１４が表示部１１２に接続されて、表示手段が構成される。制御部１１８は、操作部１１３の状態を検知するとともに、操作部１１３を介して行われるユーザ指示にしたがって、スピーカ１１１に対する音声の出力や、表示部１１２に対する画像の表示を行う。なお、表示部１１２には、液晶表示素子が用いられ、液晶表示素子の駆動信号やバックライトの駆動電力は、表示制御部１１４から表示部１１２へ出力される。また、スピーカ１１１には、音声出力部１１７から信号が出力される。表示制御部１１４や音声出力部１１７は、制御部１１８により制御されており、音声出力の強弱や映像出力の明暗等は、制御部１１８から出力される信号を基に設定される。
【００１９】
以下、ＨＭＤ１００における再生時の制御部１１８の動作について説明する。以下では、特に、ＨＭＤ１００において、音声付き映像ファイルが再生される場合を説明する。
音声付き映像ファイルが再生される場合、通常は、制御部１１８は、図５Ａに示すように、表示部１１２を介して画像情報を再生し、スピーカ１１１を介して音声情報を再生する。
【００２０】
この状態において、ミュートボタン１１３ｄが押下されると、制御部１１８は、これを検知し、図５Ｂに示すように、映像ミュートおよび音声ミュートを設定する。
映像ミュートとは、画像情報の再生は継続しつつ、表示部１１２や表示制御部１１４へ出力する信号を制御して、表示部１１２への表示を中断することである。表示部１１２への表示を中断するには、表示部１１２のバックライトなどの照明強度を調整しても良いし、表示制御部１１４を制御して、表示部１１２に供給される映像信号のコントラストや輝度を調整しても良い。
【００２１】
音声ミュートとは、音声情報の再生は継続しつつ、音声出力部１１７を制御して、スピーカ１１１への出力を中断することである。スピーカ１１１への出力を中断する方法は、公知技術と同様である。
図５Ｂに示す映像ミュートかつ音声ミュート状態において、音声拡大ボタン１１３ｂ、音声縮小ボタン１１３ｃ、ミュートボタン１１３ｄの何れかが押下されると、制御部１１８は、これを検知し、図５Ｃに示すように、映像ミュートおよび音声ミュートを解除する。
【００２２】
映像ミュートは、ＨＭＤ以外の表示装置や再生装置ではあまり一般的でない機能であるが、音声ミュートは、たいていの表示装置や再生装置に搭載されている一般的な機能である。そして、音声ミュートにおいては、一般に、音声ミュート中に音量調整を行うと、音声ミュートが解除されるような操作法となっている。そこで、図５で説明したように、映像ミュートかつ音声ミュート状態において、ユーザになじみのある音量調整という操作に応じて、映像ミュートおよび音声ミュートを解除することにより、分かり易い操作を実現することができる。
【００２３】
なお、図５の例では、映像ミュートおよび音声ミュートを同時に設定する例を示したが、図６のように映像ミュートおよび音声ミュートを段階的に設定する構成としても良い。すなわち、図５Ａと同様に、表示部１１２に画像情報を表示し、スピーカ１１１に音声情報を出力している図６Ａの状態において、ミュートボタン１１３ｄが押下されると、制御部１１８は、これを検知し、図６Ｂ１に示すように、映像ミュートのみを設定する。このとき、音声情報の再生および出力は継続される。
【００２４】
そして、図６Ｂ１に示す映像ミュート状態において、再びミュートボタン１１３ｄが押下されると、制御部１１８は、これを検知し、図６Ｃに示すように、音声ミュートをさらに設定する。
なお、図６Ｂ１では、映像ミュートのみを設定する例を示したが、図６Ｂ２に示すように、音声ミュートのみを設定し、画像情報の再生および表示を継続する構成としても良い。また、映像ミュートおよび音声ミュートを段階的に設定する際には、映像ミュートと音声ミュートとの何れを優先的に設定するかをユーザにより指定可能にしても良い。
【００２５】
また、図７のように、映像ミュートおよび音声ミュートを段階的に解除する構成としても良い。すなわち、図７Ａに示す映像ミュートかつ音声ミュート状態において、音声拡大ボタン１１３ｂまたは音声縮小ボタン１１３ｃが押下されると、制御部１１８は、これを検知し、図７Ｂ１に示すように、音声ミュートのみを解除する。このとき、映像ミュート状態は継続される。
【００２６】
そして、図７Ｂ１に示す映像ミュート状態において、ミュートボタン１１３ｄが押下されると、制御部１１８は、これを検知し、図７Ｃに示すように、映像ミュートをさらに解除する。
なお、図７Ｂ１では、音声ミュートのみを解除する例を示したが、図７Ｂ２に示すように、映像ミュートのみを解除し、音声ミュート状態を継続する構成としても良い。また、映像ミュートおよび音声ミュートを段階的に解除する際には、映像ミュートと音声ミュートとの何れを優先的に解除するかをユーザにより指定可能にしても良い。
【００２７】
また、図６および図７で説明した構成を組み合わせて、映像ミュートおよび音声ミュートを段階的に設定および解除する際には、中間の段階におけるユーザ操作に応じて、ＨＭＤ１００の動作を変更すれば良い。
図８に第１の組み合わせ例を示す。図８に示すように、図５Ａと同様に、表示部１１２に画像情報を表示し、スピーカ１１１に音声情報を出力している図８Ａの状態において、ミュートボタン１１３ｄが押下されると、制御部１１８は、これを検知し、図８Ｂに示すように、音声ミュートのみを設定する。このとき、画像情報の再生および表示は継続される。
【００２８】
そして、図８Ｂに示す音声ミュート状態において、再びミュートボタン１１３ｄが押下されると、制御部１１８は、これを検知し、図８Ｃに示すように、映像ミュートをさらに設定する。一方、図８Ｂに示す音声ミュート状態において、音声拡大ボタン１１３ｂまたは音声縮小ボタン１１３ｃが押下されると、制御部１１８は、これを検知し、音声ミュートを解除する（図８Ａの状態）。
【００２９】
また、図８Ｃに示す映像ミュートかつ音声ミュート状態において、ミュートボタン１１３ｄが押下されると、制御部１１８は、これを検知し、映像ミュートのみを解除する（図８Ｂの状態）。このとき、音声ミュート状態は継続される。
なお、図８の例では、中間の段階において、音声ミュートのみを設定する例を示したが、音声ミュートに代えて、映像ミュートのみを設定し、音声情報の再生および出力を継続する場合についても同様である。
【００３０】
図９に第２の組み合わせ例を示す。図９Ａに示す映像ミュートかつ音声ミュート状態において、音声拡大ボタン１１３ｂまたは音声縮小ボタン１１３ｃが押下されると、制御部１１８は、これを検知し、音声ミュートを解除する（図９Ｂの状態）。一方、図９Ａに示す映像ミュートかつ音声ミュート状態において、ミュートボタン１１３ｄが押下されると、制御部１１８は、これを検知し、映像ミュートおよび音声ミュートを解除する（図９Ｃの状態）。
【００３１】
図８および図９で説明したように、ユーザ操作に応じてＨＭＤ１００の動作を変更する際には、ユーザが選択操作に迷わないように、操作方法を提示すると良い。例えば、図８Ｂに示すように、音声ミュートのみ設定されている状態において、図１０Ａに示すように、操作方法を示す情報ｉ１を表示部１１２に表示することにより、操作に不慣れなユーザであっても、簡単に映像ミュートおよび音声ミュートを設定したり解除したりすることができる。
【００３２】
さらに、映像ミュート時にユーザが故障と勘違いする問題を回避するために、映像ミュート状態であることを示す情報を表示部１１２に表示しても良い。例えば、図１０Ｂに示すように、「映像ミュート中です」という文字情報ｉ２を表示部１１２に表示しても良いし、図１０Ｃに示すように、映像ミュート中であることを示すマークｉ３を表示部１１２に表示しても良い。また、音声ミュート時にも、音声ミュート状態であることを示す情報を表示部１１２に表示しても良い。また、これらの表示をユーザの要請に応じて行う構成としても良い。
【００３３】
なお、図１０Ａ〜Ｃで示した表示を行う際には、映像ミュートの本来の目的を考慮して表示領域の隅など、目立たない位置に表示することにより、ＨＭＤ１００使用中にユーザが注意を外界に向けたときでも、その視界を遮らない。また、表示部１１２の表示領域の外に、ＬＥＤなどの発光部材を備え、その部材を点滅させたり点灯させたりすることにより同様の表示を行っても良い。
【００３４】
以上説明したように、本実施形態によれば、ユーザに対し映像を表示するための表示手段と、音声を出力するための音声出力手段と、音声出力手段による音声の出力に関わる少なくとも２つの操作部材を含む操作部と、操作部の少なくとも２つの操作部材に対するユーザの操作の組み合わせに応じて、表示手段を制御し、表示手段に表示される映像の表示輝度とコントラストとの少なくとも一方が低レベルもしくはゼロレベルである映像ミュート状態に設定するミュート手段とを備える。したがって、ユーザにとって利便性の高い映像ミュートを実現することができる。また、ＨＭＤ型の装置においては、ユーザは、表示ユニットを眼前から退避させることなく、注意を外界に向けることができるので、表示ユニットの位置を再調整する必要もない。
【００３５】
また、本実施形態によれば、操作部を介して、ユーザにより第１の操作が行われると、ミュート手段は、表示手段を制御して映像ミュート状態に設定するとともに、音声出力手段を制御し、音声出力手段から出力される音声の音量が低レベルもしくはゼロレベルである音声ミュート状態に設定し、映像ミュート状態かつ音声ミュート状態において、操作部を介して、ユーザにより第２の操作が行われると、ミュート手段は、表示手段および音声出力手段を制御し、映像ミュート状態および音声ミュート状態を解除する。したがって、ユーザの要望に応じて、適宜映像ミュート状態および音声ミュート状態を設定および解除することができる。
【００３６】
また、本実施形態によれば、操作部を介して、ユーザにより第１の操作が行われると、ミュート手段は、表示手段と音声出力手段との何れかを制御し、映像ミュート状態と音声ミュート状態との何れかを設定し、第１の操作に応じた映像ミュート状態において、操作部を介して、ユーザにより第２の操作が行われると、ミュート手段は、音声出力手段を制御して音声ミュート状態を設定し、第１の操作に応じた音声ミュート状態において、操作部を介して、ユーザにより第２の操作が行われると、ミュート手段は、表示手段を制御して映像ミュート状態を設定する。したがって、ユーザの要望に応じて、適宜映像ミュート状態および音声ミュート状態を設定および解除することができる。
【００３７】
また、本実施形態によれば、映像ミュート状態かつ音声ミュート状態において、操作部を介して、ユーザにより第３の操作が行われると、ミュート手段は、表示手段と音声出力手段との何れかを制御し、映像ミュート状態および音声ミュート状態の何れかを解除し、第３の操作に応じて映像ミュート状態を解除した場合において、操作部を介して、ユーザにより第４の操作が行われると、ミュート手段は、音声出力手段を制御して音声ミュート状態を解除し、第３の操作に応じて音声ミュート状態を解除した場合において、操作部を介して、ユーザにより第４の操作が行われると、ミュート手段は、表示手段を制御して映像ミュート状態を解除する。したがって、ユーザの要望に応じて、映像ミュート状態および音声ミュート状態を段階的に解除することができる。
【００３８】
また、本実施形態によれば、第１の操作または第３の操作に応じた映像ミュート状態（または音声ミュート状態）において、操作部を介して、ユーザにより所定の操作が行われた際に、ミュート手段により音声ミュート状態（または映像ミュート状態）を設定するか、または、ミュート手段により映像ミュート状態（または音声ミュート状態）を解除するかを選択する選択手段をさらに備える。したがって、ユーザの要望に応じた高い操作性を実現することができる。
【００３９】
また、本実施形態によれば、表示手段と音声出力手段との少なくとも一方の状態を示す情報と、操作部に対する操作の組み合わせおよびその操作に応じて実行される動作を示す情報との少なくとも一方を表示手段に表示する表示制御手段をさらに備える。したがって、ユーザに適切な情報を提供することにより利便性を向上させることができる。特に、映像ミュート時にユーザが故障と勘違いするという問題を回避することができる。
【００４０】
また、本実施形態によれば、ユーザに対し映像を表示するための表示手段と、音声を出力するための音声出力手段と、表示手段を制御し、表示手段に表示される映像の表示輝度とコントラストの少なくとも一方が低レベルもしくはゼロレベルである映像ミュート状態に設定するミュート手段と、映像ミュート状態において、表示手段が映像ミュート状態であることを示す情報と、映像ミュート状態の解除方法を示す情報との少なくとも一方を表示手段に表示する表示制御手段とを備える。したがって、ユーザにとって利便性の高い映像ミュートを実現することができる。特に、映像ミュート時にユーザが故障と勘違いするという問題を回避することができる。
【００４１】
また、本実施形態によれば、表示制御手段は、表示手段が映像ミュート状態であることを示す情報と、映像ミュート状態の解除方法を示す情報との少なくとも一方を表示手段に表示する際に、表示手段の表示領域の一部に表示しても良い。したがって、装置を使用中にユーザが注意を外界に向けたときでも、その視界を遮らない。
なお、本実施形態では、ユーザ操作に応じて、映像ミュートや音声ミュートを設定および解除する例を示したが、制御部１１８により自動で映像ミュートや音声ミュートを設定および解除する構成としても良い。例えば、メニュー画面などを表示部１１２に表示している際に、一定時間以上操作入力がない場合には、自動的に映像ミュートを設定する構成としても良い。また、画像情報の再生が終了した際に、自動的に映像ミュートを設定する構成としても良い。また、映像ミュート中に、一定時間後に自動的に映像ミュートを解除する構成としても良い。このような構成とすることにより、ユーザが、ＨＭＤ１００の再生自体を停止したと誤解している場合にも、映像ミュート中であることを報知することができる。何れの場合も、自動で映像ミュートや音声ミュートを設定および解除する場合には、図１０で説明したように、現在の状態や操作方法を表示するのが好ましい。
【００４２】
また、本実施形態では、音声拡大ボタン１１３ｂ、音声縮小ボタン１１３ｃ、ミュートボタン１１３ｄを用いて、映像ミュートや音声ミュートを設定および解除する例を示したが、本発明はこの例に限定されない。例えば、タッチパネル方式の操作部材などを備える構成としても良いし、適宜専用ボタン（映像ミュートボタン、音声ミュートボタンなど）を備える構成としても良い。また、各状態と、その状態においてユーザ指示を受け付ける操作部材と、受け付けに応じた動作との組み合わせを予めユーザにより設定可能な構成としても良い。
【００４３】
また、本実施形態では、映像ミュート状態であることを示す情報や、映像ミュート状態の解除方法等を示す情報を表示部１１２に表示する例を示したが、表示部１１２の近傍に表示デバイスやランプなどを配置し、これらの部材を用いて上述した各情報を表示する構成としても良い。
また、本実施形態で説明した以外の構造の操作部材にも本発明を同様に適用することができる。例えば、図１１Ａに示すように、矢印ｊの方向に回転可能で、かつ、矢印ｋの方向に押し込み可能な操作部材２００を備え、矢印ｊの方向への回転操作に応じて、本実施形態の音声拡大ボタン１１３ｂおよび音声縮小ボタン１１３ｃと同様の動作を行い、矢印ｋの方向への押し込み操作に応じて、本実施形態のミュートボタン１１３ｄと同様の動作を行う構成としても良い。また、図１１Ｂに示すように、矢印ｍの方向に回転可能で、かつ、中心部分にボタンｎを有する操作部材２０１を備え、矢印ｍの方向への回転操作に応じて、本実施形態の音声拡大ボタン１１３ｂおよび音声縮小ボタン１１３ｃと同様の動作を行い、ボタンｎへの押し込み操作に応じて、本実施形態のミュートボタン１１３ｄと同様の動作を行う構成としても良い。
【００４４】
さらに、図１１Ｃに示すように、音声拡大ボタン１１３ｂおよび音声縮小ボタン１１３ｃのみを備え、２つのボタンが同時に押下されると、本実施形態のミュートボタン１１３ｄと同様の動作を行う構成としても良い。このように、音声出力手段による音声の音量を増大させるための第１の操作部材と、音声の音量を減少させるための第２の操作部材とを含み、ミュート手段は、ユーザにより、第１の操作部材と第２の操作部材とが同時に操作されると、表示手段を制御して映像ミュート状態を設定することにより、操作部材の数を増やさずに本実施形態と同様の効果を得ることができる。また、操作部材の数を増やさないので、構造の簡略化、コストダウン、外観デザインの自由度向上が期待できる。
【００４５】
また、本実施形態において、映像ミュートおよび音声ミュートを設定または解除する際に、緩やかに変化させる構成としても良い。例えば、映像ミュートを設定する際に、急に表示部１１２への表示を中断すると、ユーザが故障と誤解するおそれがある。そこで、表示部１１２への表示を徐々に変化させる（フェードアウトさせる）ことにより、このような問題を回避することができる。これは、映像ミュートを解除する際にも同様であるし、音声ミュートを設定または解除する際にも同様である。
【００４６】
また、本実施形態では、本発明の携帯映像表示装置の一例として、ＨＭＤを例に挙げて説明したが、本発明はこの例に限定されない。本実施形態で説明した構成以外のＨＭＤにも同様に適用可能であるし、携帯電話や、ＤＶＤプレーヤーなどの携帯映像表示装置にも同様に適用可能である。
【図面の簡単な説明】
【００４７】
【図１】ＨＭＤ１００の外観図である。
【図２】表示部１１２が有する画像表示素子と、ユーザの眼との関係を示す図である。
【図３】ＨＭＤ１００の側面図である。
【図４】ＨＭＤ１００の機能ブロック図である。
【図５】ＨＭＤ１００の動作について説明する図である。
【図６】ＨＭＤ１００の動作について説明する別の図である。
【図７】ＨＭＤ１００の動作について説明する別の図である。
【図８】ＨＭＤ１００の動作について説明する別の図である。
【図９】ＨＭＤ１００の動作について説明する別の図である。
【図１０】表示部１１２への情報表示について説明する図である。
【図１１】操作部材について説明する図である。
【符号の説明】
【００４８】
１００…ＨＭＤ，１１１…スピーカ，１１２…表示部，１１３…操作部，１１３ｂ…音声拡大ボタン，１１３ｃ…音声縮小ボタン，１１３ｄ…ミュートボタン，１１６…記憶部，１１７…音声出力部，１１８…制御部
【図１】
2008060825.tif 000003
【図２】
2008060825.tif 000004
【図３】
2008060825.tif 000005
【図４】
2008060825.tif 000006
【図５】
2008060825.tif 000007
【図６】
2008060825.tif 000008
【図７】
2008060825.tif 000009
【図８】
2008060825.tif 000010
【図９】
2008060825.tif 000011
【図１０】
2008060825.tif 000012
【図１１】
2008060825.tif 000013